(57)【要約】【課題】立樋の下部から雨水が吹き上がってもその雨水が外部に噴出するようなことがなく、またスラブに据え付ける際の防水層の処理を容易に能率よく行なえ、効率的な施工を達成することができる防水層貫通用金物を提供する。【解決手段】防水層１１を貫通してスラブ１０の上部から下部に通じる排水径路を施工する際に用いられる防水層貫通用金物１３であり、下部側の立樋３９の接続が可能で、かつ周縁部に防水層支持用のフランジ部１８を一体的に有する環状のベース部材１４と、上部側の立樋３８の接続が可能で、かつ周縁部にベース部材１４のフランジ部１８の上に重ね合わされる防水層１１の縁部をフランジ部１８とで挾着する押圧用のフランジ部２４を有する環状の被冠部材１５とを備え、ボルト２８およびナット２９による締め付けでベース部材１４と被冠部材１５とを締結し、かつ防水層１１の縁部を前記フランジ部１８，２４に圧着させる。【選択図】    図１
2007070856.tif 000002
【特許請求の範囲】
【請求項１】
建物のスラブの上に敷き込まれる防水層を貫通してそのスラブの上部から下部に通じる排水径路を施工する際に用いられる防水層貫通用金物であって、
前記スラブに据え付けられ、前記スラブの下方から挿入される下部側の立樋の接続が可能で、かつ周縁部に防水層支持用のフランジ部を一体的に有する環状のベース部材と、
前記ベース部材の上に載置され、前記スラブの上方から挿入される上部側の立樋の接続が可能で、かつ周縁部に前記ベース部材のフランジ部の上に重ね合わされる防水層の縁部を前記フランジ部とで挾着する押圧用のフランジ部を有する環状の被冠部材と、
前記ベース部材と被冠部材とを締結し、その締結力で前記防水層の縁部を前記支持用のフランジ部と押圧用のフランジ部とに圧着させる締結具と、
を具備することを特徴とする防水層貫通用金物。
【請求項２】
前記被冠部材の接続口には交換可能な接続筒が設けられ、前記上部側の立樋がその接続筒を介して前記接続口に接続されることを特徴とする請求項１に記載の防水層貫通用金物。
【請求項３】
前記上部側の立樋は、前記接続筒を取り外して被冠部材の接続口に直接接続することが可能なことを特徴とする請求項２に記載の防水層貫通用金物。
【請求項４】
前記被冠部材の接続口に直接接続される前記上部側の立樋はねじ込みによりその接続口に接続されることを特徴とする請求項３に記載の防水層貫通用金物。
【発明の詳細な説明】
【技術分野】
【０００１】
この発明は、建物のスラブの上に敷き込まれる防水層を貫通してそのスラブの上部から下部に通じる排水径路を施工する際に用いられる防水層貫通用金物に関する。
【背景技術】
【０００２】
一般に防水性が必要なコンクリート建物の床や屋根などのスラブには、アスファルト防水材やシート防水材からなる防水層が設けられる。そしてその防水層を貫通してスラブの上部から下部に渡るように雨水用の排水径路が施工される。
【０００３】
排水径路は立樋により構成される。従来では、スラブにコンクリート躯体打込みのドレイン金物や中継ドレイン金物あるいは排水目皿金物などの排水金物が据え付けられ、その排水金物に立樋が接続され、防水層を貫通する排水径路が構成される。
【０００４】
また、上述のような排水金物を用いない場合もあり、この場合には、図７に示すように、スラブ１にコンクリート躯体打込みによりスリーブ金物２を据え付け、スラブ１の上に敷き込まれた防水層３の一部をスリーブ金物２の外周面に沿って立上がるように巻上げ、その外周を線材４で締め込んで固定する。そして、スリーブ金物２内に雨水排水用の立樋６を挿入し、またスリーブ金物２の上部に防水層３の巻上げ部を覆うように保護カバー７を取り付け、さらに必要があれば保護カバー７および防水層３の巻上げ部の全体を覆う化粧カバー８を取り付けるようにしている。
【発明の開示】
【発明が解決しようとする課題】
【０００５】
ところで、スラブの下方に延びる立樋の下部側が横引き配管となっているような場合、豪雨時などのときに、雨水がその横引き配管からその上方に逆流するように吹き上がることがある。
【０００６】
この場合、立樋が前述のドレイン金物のような排水金物に接続されてスラブに設けられているときには、その排水金物が雨水流入用の開口を有するため、立樋の下部から吹き上がる雨水がその排水金物の開口から逆流して噴出してしまうという問題がある。
【０００７】
これに対し、図７に示すようなスリーブ金物２をスラブ１に据え付け、このスリーブ金物２内に立樋６を挿入する構造の場合には、立樋６の下部から雨水が吹き上がってもその雨水が外部に噴出するようなことがない。
【０００８】
しかしながら、図７に示す構造の場合には、その施工に際し、防水層３をスリーブ金物２の外周面に巻上げ、その上部を線材４で締め込み、さらにその防水層３の巻上げ部を保護カバー７や化粧カバー８で覆う必要があり、このため作業が相当面倒となり、施工能率が低下する難点がある。
【０００９】
また、この場合には、スリーブ金物２内に連続する一連の立樋６を挿入することになるから、施工後にその立樋６を交換するようなときに、その交換作業が面倒となり、また交換が不能となることもある。
【００１０】
この発明はこのような点に着目してなされたもので、その目的とするところは、立樋の下部から雨水が吹き上がってもその雨水が外部に噴出するようなことがなく、またスラブに据え付ける際の防水層の処理を容易に能率よく行なえ、効率的な施工を達成することができる防水層貫通用金物を提供することにある。
【課題を解決するための手段】
【００１１】
この発明の防水層貫通用金物は、建物のスラブの上に敷き込まれる防水層を貫通してそのスラブの上部から下部に通じる排水径路を施工する際に用いられる防水層貫通用金物であって、前記スラブに据え付けられ、前記スラブの下方から挿入される下部側の立樋の接続が可能で、かつ周縁部に防水層支持用のフランジ部を一体的に有する環状のベース部材と、前記ベース部材の上に載置され、前記スラブの上方から挿入される上部側の立樋の接続が可能で、かつ周縁部に前記ベース部材のフランジ部の上に重ね合わされる防水層の縁部を前記フランジ部とで挾着する押圧用のフランジ部を有する環状の被冠部材と、前記ベース部材と被冠部材とを締結し、その締結力で前記防水層の縁部を前記支持用のフランジ部と押圧用のフランジ部とに圧着させる締結具とを具備することを特徴としている。
【００１２】
前記被冠部材の接続口には交換可能な接続筒を設けることが可能で、前記上部側の立樋をその接続筒を介して前記接続口に接続することが可能である。
【００１３】
前記上部側の立樋は、前記接続筒を取り外して被冠部材の接続口に直接接続することが可能である。
【００１４】
前記被冠部材の接続口に直接接続される前記上部側の立樋はねじ込みによりその接続口に接続することが可能である。
【発明の効果】
【００１５】
この発明の防水層貫通用金物によれば、立樋の下部から雨水が吹き上がってもその雨水が外部に噴出するようなことがなく、またスラブに据え付ける際に防水層を巻上げて線材で締め込むような面倒な作業が不要で、容易で能率的な施工を達成することができる。
【発明を実施するための最良の形態】
【００１６】
以下、この発明の実施の形態について図１ないし図６を参照して説明する。
【００１７】
図１には第１の実施形態を示してあり、この実施形態におけるスラブ１０は例えば建物のベランダ用であり、このスラブ１０の上に防水層１１が敷き込まれ、このスラブ１０の一部に防水層貫通用金物１３が設けられている。
【００１８】
防水層貫通用金物１３はベース部材１４と、このベース部材１４の上に載置締結される被冠部材１５とで構成されている。ベース部材１４および被冠部材１５は共に普通鋳物やステンレス材で形成される。
【００１９】
ベース部材１４は、上部周縁にフランジ部１８を、下部に接続口１９を一体に有する円環状をなし、前記フランジ部１８の上面はその外周側に向って緩やかなテーパ状に傾斜する受面１８ａとなっている。また、前記接続口１９の内周面にはねじ２０が形成されている。このベース部材１４は、コンクリート打込みによりスラブ１０に据え付けられている。なお、２１はベース部材１４の固定用のアンカーである。
【００２０】
スラブ１０の上に敷き込まれた防水層１１は、ベース部材１４に対応する部分が切欠され、その切欠の縁部がベース部材１４における前記フランジ部１８の受面１８ａの上に重ね合わされている。
【００２１】
ベース部材１４の上に載置される前記被冠部材１５は、下部にフランジ部２４を一体に有する円筒状をなし、上部の開口が接続口２５となっており、また前記フランジ部２４の下面は前記ベース部材１４の受面１８ａに対応する緩やかなテーパ状をなす押圧面２４ａとなっている。
【００２２】
この被冠部材１５は、ベース部材１４の受面１８ａの上に防水層１１が重ね合わされた後に、ベース部材１４の上に載置される。この載置に応じて被冠部材１５のフランジ部２４はベース部材１４のフランジ部１８の上に重なり、ベース部材１４のフランジ部１８の受面１８ａと被冠部材１５のフランジ部２４の押圧面２４ａとで防水層１１の縁部が挾着される。
【００２３】
ベース部材１４と被冠部材１５との間には締結具としての複数のボルト２８が設けられ、これらボルト２８にナット２９が螺着され、これらボルト２８とナット２９とによる締め付けでベース部材１４と被冠部材１５とが互いに締結固定され、また前記防水層１１の縁部がベース部材１４のフランジ部１８と被冠部材１５のフランジ部２４とに圧着する。
【００２４】
ベース部材１４と被冠部材１５との締結後には、防水層１１の上に押えコンクリート３２やモルタル層３３が設けられ、さらに必要に応じてモルタル層３３の上にタイルや厚手のブロックなどの化粧部材３４が設けられ、これにより仕上層３５が構成される。
【００２５】
スラブ１０の上方側からは被冠部材１５の接続口２５に向って上部側の立樋３８が挿入され、この立樋３８と接続口２５との間の隙間がバックアップ材４１やシーリング材４２により密閉され、またスラブ１０の下方側からはベース部材１４の接続口１９に向って下部の立樋３９が挿入され、この立樋３９がねじ２０を介して接続口１９に接続され、これにより排水径路が構成され、この排水径路を通して雨水が排水される。
【００２６】
ここで、下部の立樋３９の下方側が横引き配管となっているような場合には、豪雨時などに下部の立樋３９内に流入した雨水が逆流するように吹き上がるが、この実施形態における防水層貫通用金物１３においては、従来のドレイン金物のような外部に通じる開口をもつことがないから、その吹き上がりによって雨水が外部に噴出するようなことがない。
【００２７】
一方、施工にあたっては、防水層１１の一部をベース部材１４のフランジ部１８と被冠部材１５のフランジ部２４とで挟み込んで圧着するだけで、防水層１１を巻上げたり線材で締め込むような面倒で手間のかかる作業が不要であり、このため作業を容易に能率よく行なえ、施工効率が向上し、またカバーなどの設置も不要となる。
【００２８】
さらに、この防水層貫通用金物１３においては、一連の立樋を用いるのではなく、被冠部材１５の接続口２５に接続する上部側の立樋３８とベース部材１４の接続口１９に接続する下部の立樋３９とに分けて取り扱うことができ、したがって立樋３８，３９の交換の際にその作業を容易に能率よく行なうことができる。
【００２９】
なお、図２に示すように、被冠部材１５の接続口２５の上部に、立樋３８と接続口２５との間に充填するシーリング材４２を保護するための筒状の保護金物４３を装着するようなことも可能である。
【００３０】
図３には第２の実施形態を示してあり、この実施形態においては被冠部材１５の高さ寸法が前記第１の実施形態の場合より小さくなっている。そして被冠部材１５の接続口２５内に接続筒としての円筒状のパイプスリーブ４６が挿入されている。
【００３１】
接続口２５の内周面およびパイプスリーブ４６の下部の外周面にはそれぞれねじ４７，４８が形成され、そのねじ４７，４８が互いに螺合することによりパイプスリーブ４６が接続口２５に着脱可能に取り付けられている。
【００３２】
パイプスリーブ４６の上部の開口部内には上部側の立樋３８が挿入され、この立樋３８の外周面とパイプスリーブ４６の内周面との間にバックアップ材４１およびシーリング材４２が充填されている。
【００３３】
このような構成の場合には、パイプスリーブ４６が被冠部材１５の接続口２５に対して着脱可能であるから、パイプスリーブ４６を高さ寸法の異なる他のパイプスリーブ４６と交換することにより防水層貫通用金物１３の高さ寸法を変えることがことができる。したがって、例えばスラブ１０の上に設ける仕上層３５の高さ寸法が変更となるような場合にパイプスリーブ４６を交換してそれに対応することができる。
【００３４】
なお、この実施形態の場合においても、図４に示すように、パイプスリーブ４６の上部に、立樋３８とパイプスリーブ４６との間に充填されたシーリング材４２を保護するための筒状の保護金物４３を装着することも可能である。
【００３５】
図５には第３の実施形態を示してあり、この実施形態においては、被冠部材１５の高さ寸法が前記第１の実施形態の場合より小さく、かつ接続口２５の内径が立樋３８の外径とほぼ同じとなっている。そして接続口２５の内周面にねじ５０が形成されている。
【００３６】
接続口２５には接続筒としての円筒状のニップル５１が挿入されている。このニップル５１の上下部の外周面にはそれぞれねじ５２，５３が形成され、下部のねじ５３が接続口２５のねじ５０に螺合し、この螺合でニップル５１が接続口２５に対して着脱可能に取り付けられている。
【００３７】
ニップル５１の上部には円筒状のソケット５５が取り付けられている。このソケット５５の上下部の内周面にはそれぞれねじ５６，５７が形成され、下部のねじ５７がニップル５１の上部のねじ５２に螺合し、この螺合でソケット５５がニップル５１に対して着脱可能に取り付けられている。そしてソケット５５の上部の開口部に立樋３８が挿入されている。立樋３８の下部の外周面にはねじ５９が形成され、このねじ５９がソケット５５の上部のねじ５６に螺合し、この螺合によりソケット５５に対して立樋３８が着脱可能に接続されている。
【００３８】
このような構成の場合には、ニップル５１が被冠部材１５の接続口２５およびソケット５５に対して着脱可能であるから、ニップル５１を高さ寸法の異なる他のニップル５１と交換することにより前記第２の実施形態の場合と同様に防水層貫通用金物１３の高さ寸法を変えることがことができる。したがって、例えばスラブ１０の上に設ける仕上層３５の高さ寸法が変更となるような場合にニップル５１を交換してそれに対応することができる。
【００３９】
また、この第３の実施形態においては、ニップル５１およびソケット５５を取り外し、図６に示すように、被冠部材１５の接続口２５内に上部側の立樋３８を直接挿入し、その立樋３８のねじ５９と接続口２５のねじ５０とを螺合し、被冠部材１５の接続口２５に上部側の立樋３８を直接接続することができる。そして、このように被冠部材１５の接続口２５に上部側の立樋３８を直接接続することにより、スラブ１０の上の仕上層３５の高さ寸法がごく小さいときにそれに対応することができる。
【図面の簡単な説明】
【００４０】
【図１】この発明の第１の実施形態に係る防水層貫通用金物を示す断面図。
【図２】その防水層貫通用金物に保護カバーを装着する場合の例を示す断面図。
【図３】この発明の第２の実施形態に係る防水層貫通用金物を示す断面図。
【図４】その防水層貫通用金物に保護カバーを装着する場合の例を示す断面図。
【図５】この発明の第３の実施形態に係る防水層貫通用金物を示す断面図。
【図６】その防水層貫通用金物における被冠部材の接続口に上部側の立樋を直接接続した状態を示す断面図。
【図７】従来の技術を示す断面図。
【符号の説明】
【００４１】
１０…スラブ
１１…防水層
１３…防水層貫通用金物
１４…ベース部材
１５…被冠部材
１８…フランジ部
１９…接続口
２４…フランジ部
２５…接続口
２８…ボルト
２９…ナット
３２…押えコンクリート
３３…モルタル層
３４…化粧部材
３５…仕上層
３８．３９…立樋
４２…シーリング材
４６…パイプスリーブ
５１…ニップル
５５…ソケット
【図１】
2007070856.tif 000003
【図２】
2007070856.tif 000004
【図３】
2007070856.tif 000005
【図４】
2007070856.tif 000006
【図５】
2007070856.tif 000007
【図６】
2007070856.tif 000008
【図７】
2007070856.tif 000009